(57)【特許請求の範囲】
【請求項１】
平面状のコンタクトガラスと、
前記コンタクトガラスに対して前記コンタクトガラスの表面と直交する第１方向の一方側に設けられ、前記第１方向と直交する第２方向に延び、前記コンタクトガラスに前記第１方向の他方側から対向する原稿の画像を読み取る画像読取部と、
前記コンタクトガラスに対して前記第１方向の前記他方側に設けられ、前記原稿を前記コンタクトガラスに向けて押圧する押さえ部材と、
前記押さえ部材に前記第１方向および前記第２方向の両方に直交する第３方向に弾性力を付与する弾性部材と、
前記押さえ部材から前記第２方向の両側に延出する延出部と、
前記押さえ部材に対して前記第２方向の両側に設けられており、前記第１方向および前記第３方向の両方に交差する方向に傾斜し、前記延出部と当接する傾斜面を有するガイド部とを含み、
前記傾斜面は、前記傾斜面と前記コンタクトガラスとの間の前記第１方向における距離が前記弾性力の加わる向きに進むに従って小さくなるように傾斜している、画像読取装置。
【請求項２】
平面状のコンタクトガラスと、
前記コンタクトガラスに対して前記コンタクトガラスの表面と直交する第１方向の一方側に設けられ、前記第１方向と直交する第２方向に延び、前記コンタクトガラスに前記第１方向の他方側から対向する原稿の画像を読み取る画像読取部と、
前記コンタクトガラスに対して前記第１方向の前記他方側に設けられ、前記原稿を前記コンタクトガラスに向けて押圧する押さえ部材と、
前記押さえ部材に前記第１方向および前記第２方向の両方に直交する第３方向に弾性力を付与する弾性部材と、
前記押さえ部材における前記第２方向の両端部に設けられ、前記第１方向および前記第３方向の両方に交差する方向に傾斜する傾斜面を有するガイド部と、
前記押さえ部材に対して前記第２方向の両側に設けられ、前記第２方向に延び、前記傾斜面に当接する延出部とを含み、
前記傾斜面は、前記傾斜面と前記コンタクトガラスとの間の前記第１方向における距離が前記弾性力の加わる向きに進むに従って小さくなるように傾斜している、画像読取装置。
【請求項３】
前記弾性部材は、前記押さえ部材の前記第２方向の中央に弾性力を付与する、請求項１または２に記載の画像読取装置。
【請求項４】
前記押さえ部材における前記第２方向の両端部であって、前記押さえ部材の前記第２方向の中央から前記第２方向の両側にそれぞれ所定間隔を空けた位置に設けられ、前記コンタクトガラスと前記押さえ部材との間の間隔を調整する間隔調整部をさらに含む、請求項１〜３のいずれか一項に記載の画像読取装置。
【請求項５】
前記間隔調整部は、前記延出部と前記第３方向に同じ位置に配置されている、請求項４に記載の画像読取装置。
【請求項６】
前記第３方向の一方側に向かう搬送方向に原稿を搬送し、原稿を前記コンタクトガラスと前記押さえ部材との間に送り込む搬送部材をさらに含み、
前記押さえ部材は、前記搬送方向の下流側ほど前記コンタクトガラスに近づくように傾斜した傾斜案内面と、前記傾斜案内面における前記コンタクトガラス側の端縁に接続され、前記コンタクトガラスと平行に延びる平行面と、前記平行面における前記搬送方向の下流側の端縁に接続され、前記第１方向の前記他方側に延び、前記平行面と直交する直交面とを有し、
前記弾性部材は、前記押さえ部材の前記直交面を前記第３方向に押圧することにより、前記押さえ部材に前記第３方向の弾性力を付与する、請求項１〜５のいずれか一項に記載の画像読取装置。
【請求項７】
前記押さえ部材は、白色樹脂からなる、請求項１〜６のいずれか一項に記載の画像読取装置。
【発明の詳細な説明】
【技術分野】
【０００１】
本発明は、原稿の画像を読み取る画像読取装置に関する。
【背景技術】
【０００２】
従来より、原稿の画像を読み取る画像読取装置が種々提案されている。その一例として、特許文献１に開示されている画像読取装置は、トレイに載置されたシート状の原稿を搬送路に沿って搬送する搬送機構を備える。搬送路の途中部には、原稿の搬送方向と直交する幅方向に延びるコンタクトガラスが配置されている。コンタクトガラスの下方には、イメージセンサが配置されている。
【０００３】
原稿が搬送路に沿って搬送される途中で、原稿がコンタクトガラスに対向する。このとき、光がコンタクトガラスを通して原稿に照射される。そして、原稿での反射光がコンタクトガラスを通してイメージセンサに受けられることにより、原稿に形成されている画像の読取りが達成される。
【０００４】
この種の画像読取装置において、コンタクトガラスの上方に、ガイド板を設けたものがある。ガイド板は、原稿をコンタクトガラスに向けて押圧する。ガイド板の上方には、弾性部材が設けられている。ガイド板は、弾性部材により、上方からコンタクトガラスに向けて付勢されている。この付勢により、ガイド板は、コンタクトガラスとガイド板との間に搬送される原稿をコンタクトガラスに向けて押圧することが出来る。
【先行技術文献】
【特許文献】
【０００５】
【特許文献１】特開平１０−７３８９０号公報
【発明の概要】
【発明が解決しようとする課題】
【０００６】
しかしながら、前述の構成では、ガイド板の上方に弾性部材が設けられていることが画像読取装置の薄型化に支障を来している。
【０００７】
本発明の目的は、コンタクトガラスの表面と直交する方向の薄型化を図ることができる、画像読取装置を提供することである。
【課題を解決するための手段】
【０００８】
前記の目的を達成するため、本発明の一の局面に係る画像読取装置は、平面状のコンタクトガラスと、前記コンタクトガラスに対して前記コンタクトガラスの表面と直交する第１方向の一方側に設けられ、前記第１方向と直交する第２方向に延び、前記コンタクトガラスに前記第１方向の他方側から対向する原稿の画像を読み取る画像読取部と、前記コンタクトガラスに対して前記第１方向の前記他方側に設けられ、前記原稿を前記コンタクトガラスに向けて押圧する押さえ部材と、前記押さえ部材に前記第１方向および前記第２方向の両方に交差する第３方向の弾性力を付与する弾性部材と、前記押さえ部材から前記第２方向の両側に延出する延出部と、前記押さえ部材に対して前記第２方向の両側に設けられており、前記第１方向および前記第３方向の両方に交差する方向に傾斜し、前記延出部と当接する傾斜面を有するガイド部とを含む。
【０００９】
この画像読取装置では、画像読取部は、平面状のコンタクトガラスに対してコンタクトガラスの表面と直交する第１方向の一方側に設けられている。画像読取部は、その一方側において、第１方向と直交する第２方向に延びている。コンタクトガラスに対して第１方向の他方側、つまり画像読取部側と反対側には、押さえ部材が設けられている。押さえ部材には、弾性部材により、第１方向および第２方向の両方に交差する第３方向の弾性力が付与される。押さえ部材に対して第２方向の両側には、傾斜面を有するガイド部が設けられている。
【００１０】
傾斜面には、押さえ部材から第２方向の両側に延出する延出部が当接している。弾性部材から押さえ部材に付与される弾性力により、延出部は、第３方向から傾斜面を押圧する。傾斜面は、第１方向および第３方向の両方に交差する方向に傾斜している。そのため、延出部から傾斜面に加えられる押圧力の反力として、延出部に第１方向の力が作用する。よって、原稿がコンタクトガラスと押さえ部材との間に介在されたときに、押さえ部材により、その原稿をコンタクトガラスに向けて押圧することができる。その結果、コンタクトガラス上において、原稿と画像読取部との間の距離を一定にすることができる。ひいては、画像読取部による原稿の画像の良好な読取りを達成することができる。
【００１１】
そして、押さえ部材に第３方向の弾性力を付与する弾性部材は、押さえ部材に対して第３方向の一方側に配置することができる。これにより、コンタクトガラスの表面と直交する方向である第１方向において、画像読取装置の薄型化を図ることができる。
【００１２】
本発明の他の局面に係る画像読取装置は、平面状のコンタクトガラスと、前記コンタクトガラスに対して前記コンタクトガラスの表面と直交する第１方向の一方側に設けられ、前記第１方向と直交する第２方向に延び、前記コンタクトガラスに前記第１方向の他方側から対向する原稿の画像を読み取る画像読取部と、前記コンタクトガラスに対して前記第１方向の前記他方側に設けられ、前記原稿を前記コンタクトガラスに向けて押圧する押さえ部材と、前記押さえ部材に前記第１方向および前記第２方向の両方に交差する第３方向の弾性力を付与する弾性部材と、前記押さえ部材における前記第２方向の両端部に設けられ、前記第１方向および前記第３方向の両方に交差する方向に傾斜する傾斜面を有するガイド部と、前記押さえ部材に対して前記第２方向の両側に設けられ、前記第２方向に延び、前記傾斜面に当接する延出部とを含む。
【００１３】
この画像読取装置では、画像読取部は、平面状のコンタクトガラスに対してコンタクトガラスの表面と直交する第１方向の一方側に設けられている。画像読取部は、その一方側において、第１方向と直交する第２方向に延びている。コンタクトガラスに対して第１方向の他方側、つまり画像読取部側と反対側には、押さえ部材が設けられている。押さえ部材には、弾性部材により、第１方向および第２方向の両方に交差する第３方向の弾性力が付与される。押さえ部材における第２方向の両端部には、傾斜面を有するガイド部が設けられている。
【００１４】
傾斜面には、押さえ部材に対して第２方向の両側で第２方向に延びる延出部が当接している。弾性部材から押さえ部材に付与される弾性力により、延出部は、第３方向から傾斜面によって押圧される。傾斜面は、第１方向および第３方向の両方に交差する方向に傾斜している。そのため、傾斜面から延出部に加えられる押圧力の反力として、傾斜面に第１方向の力が作用する。よって、原稿がコンタクトガラスと押さえ部材との間に介在されたときに、押さえ部材により、その原稿をコンタクトガラスに向けて押圧することができる。その結果、コンタクトガラス上において、原稿と画像読取部との間の距離を一定にすることができる。ひいては、画像読取部による原稿の画像の良好な読取りを達成することができる。
【００１５】
そして、押さえ部材に第３方向の弾性力を付与する弾性部材は、押さえ部材に対して第３方向の一方側に配置することができる。これにより、コンタクトガラスの表面と直交する方向である第１方向において、画像読取装置の薄型化を図ることができる。
【００１６】
弾性部材は、押さえ部材の第２方向の中央部に弾性力を付与することが好ましい。これにより、２つの延出部が傾斜面に同じ大きさの力で当接される。そのため、２つの延出部が傾斜面から均等な大きさの反力を受ける。その結果、押さえ部材により、原稿を第２方向においてバランスよくコンタクトガラスに向けて押圧することができる。また、弾性力の方向が第３方向であるので、その弾性力が押さえ部材における第２方向の中央部に付与されても、押さえ部材に第１方向の変形が生じにくい。そのため、押さえ部材とコンタクトガラスとの間の間隔が第２方向においてばらつくことを抑制できる。その結果、画像読取部による原稿の画像のより良好な読取りを達成することができる。
【００１７】
押さえ部材における第２方向の両端部には、コンタクトガラスと押さえ部材との間の間隔を調整する間隔調整部が設けられていてもよい。この構成によれば、コンタクトガラスと押さえ部材との間の間隔を一定に調整することができる。その結果、画像読取部による原稿の画像のより良好な読取りを達成することができる。
【００１８】
原稿がコンタクトガラス上を搬送される構成において、原稿の厚さがコンタクトガラスと押さえ部材との間の間隔以下の場合には、押さえ部材は、コンタクトガラス上で原稿と画像読取部との間の距離を一定に保ちながら原稿の搬送をガイドする。したがって、原稿がコンタクトガラス上を搬送される構成では、押さえ部材は、コンタクトガラス上で原稿と画像読取部との間の距離を一定に保ちながら原稿の搬送をガイドする搬送ガイド部と言い換えることができる。
【００１９】
間隔調整部は、延出部と第３方向に同じ位置に配置されていることが好ましい。これにより、延出部に第１方向の力が作用したときに、押さえ部材が間隔調整部を支点として第３方向に対して傾斜することを抑制できる。その結果、押さえ部材により、その原稿をコンタクトガラスに向けて良好に押圧することができる。
【００２０】
画像読取装置は、第３方向の一方側に向かう搬送方向に原稿を搬送し、原稿をコンタクトガラスと押さえ部材との間に送り込む搬送部材を備えていてもよい。
【００２１】
この場合、押さえ部材は、搬送方向の下流側ほどコンタクトガラスに近づくように傾斜した傾斜案内面と、傾斜案内面におけるコンタクトガラス側の端縁に接続され、コンタクトガラスと平行に延びる平行面と、平行面における搬送方向の下流側の端縁に接続され、第１方向の他方側に延び、平行面と直交する直交面とを有していることが好ましい。コンタクトガラス上に向けて搬送される原稿の先端が傾斜案内面に沿って移動することにより、原稿の先端を平行面とコンタクトガラスとの間に良好に導き入れることができる。
【００２２】
そして、弾性部材が押さえ部材の直交面を第３方向に押圧することにより、押さえ部材に第３方向の弾性力が付与されることが好ましい。弾性部材が直交面側に配置されるので、弾性部材が原稿の搬送の妨げとなることを抑制できる。
【００２３】
押さえ部材は、白色樹脂からなることが好ましい。この場合、押さえ部材の白色を画像読取部によって読み取り、その読み取った白色データに基づいて、シェーディング補正処理を実行することができる。シェーディング補正処理のために、押さえ部材の平行面に白色テープを貼着する必要がなく、部品点数および製造工程数を低減することができる。
【発明の効果】
【００２４】
本発明によれば、弾性部材を押さえ部材に対してコンタクトガラスの表面と直交する方向である第１方向におけるコンタクトガラス側と反対側に配置することなく、押さえ部材に第１方向の力を付与することができる。よって、第１方向において、画像読取装置の薄型化を図ることができる。
【図面の簡単な説明】
【００２５】
【図１】図１は、本発明の一実施形態に係る画像読取装置３が備えられた複合機１の斜視図であり、ＡＤＦ７が閉じられた状態を示す。
【図２】図２は、前記複合機１の斜視図であり、前記ＡＤＦ７が開かれた状態を示す。
【図３】図３は、前記画像読取装置３の断面図である。
【図４】図４は、前記画像読取装置３の要部の拡大断面図である。
【図５】図５は、前記画像読取装置３に備えられた押さえ機構の図解的な平面図である。
【図６】図６は、前記画像読取装置３の要部の他の構成を示す拡大断面図である。
【発明を実施するための形態】
【００２６】
以下では、本発明の実施の形態について、添付図面を参照しつつ詳細に説明する。
＜複合機の全体構成＞
【００２７】
図１および図２に示されるように、複合機１は、プリンタ機能およびスキャナ機能を有している。プリンタ機能は、画像データに基づいて、用紙などのシートに画像を形成する機能である。スキャナ機能は、原稿の画像を読み取る機能である。また、複合機１は、公衆電話回線を介して画像データを送受信するファクシミリ機能を有していてもよい。
【００２８】
なお、複合機１を平面上に載置した状態で、そのイメージスキャナ１を正面側から見て、前後、左右および上下を規定する。そして、図１以降の各図では、図面の理解を助けるために、その規定された方向を矢印で示す。
【００２９】
複合機１は、プリンタ機能を実現する画像形成装置２と、スキャナ機能を実現する画像読取装置３とを備えている。
＜画像形成装置＞
【００３０】
画像形成装置２は、画像読取装置３の下方に設けられている。画像読取装置２の最下部には、シートを収容可能な供給カセット４が設けられている。画像形成装置２は、供給カセット４から搬送されてくるシートに微滴化したインクを直接に噴射して、シートに画像を形成する、インクジェット方式を採用したものであってもよい。また、画像形成装置２は、供給カセット４から搬送されてくるシートにトナー像を転写および定着して、シートに画像を形成する、電子写真方式を採用したものであってもよい。画像形成装置２の上面には、排出トレイ５が形成されている。画像形成装置２によって画像が形成されたシートは、画像形成装置２内から排出トレイ５上に排出される。
＜画像読取装置＞
【００３１】
画像読取装置３は、画像形成装置２上に設けられている。画像読取装置３は、装置本体６およびＡＤＦ（Auto Document Feeder）７を備えている。
【００３２】
装置本体６の上部には、第１コンタクトガラス８および第２コンタクトガラス９が左右に並べて設けられている。コンタクトガラスの一例としての第１コンタクトガラス８は、その右端部が装置本体６のフレームから上方に露出している。第２コンタクトガラス９は、その中央部が装置本体６のフレームから上方に露出している。第１コンタクトガラス８の露出部分は、平面視で前後方向に長い矩形状をなしている。第２コンタクトガラス９の露出部分は、平面視で左右方向に長い矩形状をなしている。第１コンタクトガラス８および第２コンタクトガラス９は、前後方向に同じ寸法を有している。
【００３３】
なお、以下の説明では、「第１コンタクトガラス８の露出部分」および「第２コンタクトガラス９の露出部分」をそれぞれ単に「第１コンタクトガラス８」および「第２コンタクトガラス９」という。
【００３４】
また、装置本体６の上面の前端部には、操作パネル１０が設けられている。操作パネル１０には、液晶表示器１１および各種の操作ボタン１２が配置されている。操作ボタン１２の押操作により、プリンタ機能およびスキャナ機能に関する設定を行うことができる。そして、その設定した内容などの情報が液晶表示器１１に表示される。
【００３５】
装置本体６の内部には、図３に示されるように、画像読取部１３が設けられている。
【００３６】
なお、図３以降の各図では、図面の簡素化のため、ハッチングが省略されている。
【００３７】
画像読取部１３は、図示されないが、ＣＩＳ（Contact Image Sensor）モジュールを備えている。ＣＩＳモジュールは、左右方向に移動可能に設けられている。ＣＩＳモジュールの内部には、たとえば、ＬＥＤ光源、レンズおよびイメージセンサなどが設けられている。
【００３８】
ＡＤＦ７の後端部は、ヒンジを介して装置本体６の後端部と連結されている。これにより、ＡＤＦ７は、図１および図２に示されるように、装置本体６の上面に覆い被さった状態と装置本体６の上面を開放する状態とに変位させることができる。
【００３９】
ＡＤＦ７は、図３に示されるように、原稿供給トレイ２１および原稿排出トレイ２２を備えている。
【００４０】
原稿供給トレイ２１および原稿排出トレイ２２は、右側に片寄った位置において、上下に間隔を空けて重なった状態に設けられている。原稿供給トレイ２１は、右上がりに少し傾斜した姿勢をなしている。
【００４１】
ＡＤＦ７の内部には、原稿供給トレイ２１の左端部から原稿排出トレイ２２の左端部に至るＵ字状の搬送路２３が形成されている。また、ＡＤＦ７の内部には、搬送路２３に沿って、供給ローラ２４、分離ローラ２５、１対のＬＦローラ２６、反転ローラ２７および１対の排出ローラ２８が設けられている。
【００４２】
供給ローラ２４は、搬送路２３の入口に配置されている。供給ローラ２４は、前後方向に延びる軸線を中心に回転可能に設けられている。
【００４３】
分離ローラ２５は、供給ローラ２４に対して左方に間隔を空けて設けられている。分離ローラ２５は、前後方向に延びる軸線を中心に回転可能に設けられている。分離ローラ２５の下方には、分離片２９が設けられている。
【００４４】
分離片２９は、たとえば、ゴムからなる。分離片２９は、左上がりに傾斜した姿勢に設けられている。分離片２９の左端部は、分離ローラ２５の周面における最下位置よりも少し左側の位置に下方から弾性的に当接している。
【００４５】
１対のＬＦローラ２６は、分離ローラ２５に対して左方に間隔を空けて配置されている。各ＬＦローラ２６は、前後方向に延びる軸線を中心に回転可能に設けられている。一方のＬＦローラ２６は、相対的に上方に配置されている。他方のＬＦローラ２６は、相対的に下方に配置されている。上側のＬＦローラ２６の周面は、下側のＬＦローラ２６の周面に上方から当接している。
【００４６】
反転ローラ２７は、第１コンタクトガラス８の左上方の位置に、その周面が搬送路２３の湾曲部分に沿うように配置されている。反転ローラ２７は、前後方向に延びる軸線を中心に回転可能に設けられている。
【００４７】
１対の排出ローラ２８は、搬送路２３の出口に配置されている。各排出ローラ２８は、前後方向に延びる軸線を中心に回転可能に設けられている。一方の排出ローラ２８は、相対的に上方に配置されている。他方の排出ローラ２８は、相対的に下方に配置されている。上側の排出ローラ２８の周面は、下側の排出ローラ２８の周面に上方から当接している。
＜押さえ機構＞
【００４８】
搬送路２３の途中部は、反転ローラ２７の周面の最下位置から、第１コンタクトガラス８上を経由して、排出ローラ２８に向けて延びている。
【００４９】
第１コンタクトガラス８の上方には、図３および図４に示されるように、押さえ部材３１が設けられている。
【００５０】
押さえ部材３１は、白色樹脂からなる。押さえ部材３１は、図５に示されるように、前後方向に延びる周面３２、前端面３３および後端面３４を有している。周面３２には、図４に示されるように、傾斜案内面３５、平行面３６、直交面３７、上面３８および接続面３９が含まれている。
【００５１】
傾斜案内面３５は、右下がりに傾斜している。傾斜案内面３５の下端縁は、第１コンタクトガラス８の左端部上に位置している。すなわち、傾斜案内面３５は、右側ほど第１コンタクトガラス８に近づくように傾斜している。
【００５２】
平行面３６は、傾斜案内面３５の下端縁から右方に、第１コンタクトガラス８と平行をなして延びている。平行面３６の右端縁は、第１コンタクトガラス８の右端部上に位置している。
【００５３】
直交面３７は、平行面３６の右端縁から上方に、平行面３６と直交して延びている。
【００５４】
上面３８は、直交面３７の上端縁から左方に、平行面３６と平行をなして延びている。上面３８は、平行面３６と同じサイズの矩形状に形成されている。
【００５５】
接続面３９は、上面３８の左端縁から左下がりに傾斜して、その下端縁が傾斜案内面３５の上端縁に接続されている。
【００５６】
平行面３６の前端部および後端部には、それぞれ間隔調整部の一例としての半球状の突部４０が形成されている。各突部４０は、第１コンタクトガラス８の上面に当接している。これにより、押さえ部材３１が第１コンタクトガラス８に押圧された状態で、第１コンタクトガラス８の上面と平行面３６との間に、微小な一定間隔の隙間、たとえば、０．３ｍｍの隙間が形成される。
【００５７】
また、前端面３３および後端面３４の上端部には、図５に示されるように、円柱状の延出部４１が形成されている。延出部４１は、突部４０と左右方向に同じ位置に配置されている。延出部４１は、前端面３３および後端面３４からそれぞれ前方および後方に、第１コンタクトガラス８の上面と平行をなして延びている。
【００５８】
そして、ＡＤＦ７のフレームには、ガイド部の一例としての前対向部４２および後対向部４３が形成されている。前対向部４２は、押さえ部材３１の前端面３３に対して前側から対向している。後対向部４３は、押さえ部材３１の後端面３４に対して後側から対向している。
【００５９】
前対向部４２および後対向部４３には、図４に示されるように、正面視で同じ位置に、同じ形状の傾斜溝４４が形成されている。傾斜溝４４は、傾斜面の一例としての左側面４５、右側面４６および底面４７を有している。左側面４５および右側面４６は、左右方向に間隔を空けて、それぞれ左下がりに傾斜している。底面４７は、左側面４５および右側面４６の各下端に接続されている。左側面４５と右側面４６との間の間隔、つまり傾斜溝４４の幅は、延出部４１の直径よりも少し大きい。傾斜溝４４には、延出部４１の先端部が挿通されている。
【００６０】
また、ＡＤＦ７のフレームには、右対向部４８が形成されている。右対向部４８は、前対向部４２および後対向部４３の各右端部間に設けられている。右対向部４８と押さえ部材３１の直交面３７との間には、弾性部材４９が圧縮状態で介在されている。弾性部材４９は、たとえば、コイルばねからなる。弾性部材４９の左端部は、直交面３７の前後方向の中央において延出部４１と上下方向に同じ位置に接続されている。弾性部材４９の右端部は、右対向部４８に接続されている。
【００６１】
弾性部材４９の弾性力により、延出部４１は、傾斜溝４４の左側面４５を右側から押圧している。延出部４１から左側面４５に加えられる押圧力の反力として、延出部４１に下向きの力が作用する。この下向きの力により、押さえ部材３１がコンタクトガラス８に向けて押圧される。そして、押さえ部材３１の各突部４０が第１コンタクトガラス８の上面に押し当てられている。
＜画像の読取り＞
【００６２】
複合機１では、ＡＤＦ７の機能により、シート状の原稿を第１コンタクトガラス８上に自動的に供給することができる。そして、スキャナ機能により、その原稿の画像を読み取ることができる。また、原稿を第２コンタクトガラス９上に載置して、スキャナ機能により、その原稿の画像を読み取ることができる。以下、図３を参照しつつ、原稿の画像の読取りについて時系列的に説明する。
【００６３】
ＡＤＦ７の機能が使用される場合、原稿は、画像が形成された面を上方に向けて、原稿供給トレイ２１上に載置される。このとき、原稿は、その先端部の上面が供給ローラ２４に当接するまで、ＡＤＦ７内に差し込まれる。
【００６４】
たとえば、操作パネル１０の操作ボタン１２の押操作により、原稿の画像の読取りの開始が指示される。読取りの開始が指示されると、供給ローラ２４が前側から見て時計回りに回転される。そして、原稿の上面と供給ローラ２４の周面との摩擦力により、原稿の搬送が開始される。
【００６５】
分離ローラ２５は、前側から見て時計回りに回転されている。原稿の先端が分離ローラ２５の周面と分離片２９との接触部分に当接すると、分離ローラ２５の回転により、原稿が分離ローラ２５の周面と分離片２９との間に引き込まれる。原稿が分離ローラ２５の周面および分離片２９から受ける摩擦力により、原稿が１枚ずつに確実に分離される。そして、１枚の原稿が分離ローラ２５の周面と分離片２９との間を通過する。
【００６６】
上側のＬＦローラ２６は、前側から見て時計回りに回転されている。下側のＬＦローラ２６は、前側から見て反時計回りに回転されている。原稿の先端が各ＬＦローラ２６の周面の接触部分に当接すると、ＬＦローラ２６の回転により、原稿の先端部が各ＬＦローラ２６の周面の間に引き込まれる。原稿の上面および下面にそれぞれ上下のＬＦローラ２６の周面が接触し、ＬＦローラ２６の周面から原稿に搬送力が付与される。
【００６７】
その後、原稿は、反転ローラ２７の周面に沿って搬送される。反転ローラ２７は、前側から見て反時計回りに回転されている。原稿の搬送が進むと、原稿の先端部が反転ローラ２７の周面から分離する。そして、原稿の先端が押さえ部材３１の傾斜案内面３５に当接すると、その後は、原稿の先端が傾斜案内面３５に沿って移動する。これにより、原稿の先端は、第１コンタクトガラス８上に導かれる。
【００６８】
原稿の搬送がさらに進むと、原稿は、押さえ部材３１の平行面３６と第１コンタクトガラス８の上面と間に進入する。押さえ部材３１により、原稿が第１コンタクトガラス８の上面に押しつけられる。そして、画像読取部１３から原稿におけるコンタクトガラス８と押さえ部材３１との間に挟まれた部分に光が照射される。原稿での反射光が画像読取部１３のイメージセンサに受けられることにより、原稿に形成されている画像の読取りが達成される。
【００６９】
上側の排出ローラ２８は、前側から見て反時計回りに回転されている。下側の排出ローラ２８は、前側から見て時計回りに回転されている。原稿の先端が各排出ローラ２８の周面の接触部分に当接すると、排出ローラ２８の回転により、原稿の先端部が各排出ローラ２８の周面の間に引き込まれる。原稿の上面および下面にそれぞれ上下の排出ローラ２８の周面が接触し、排出ローラ２８の周面から原稿に搬送力が付与される。これにより、排出ローラ２８によるシートの搬送が続けられる。原稿の後端が排出ローラ２８から離れると、原稿は、原稿排出トレイ２２上に排出される。
【００７０】
ＡＤＦ７の機能が使用されない場合には、原稿は、画像が形成された面を下方に向けて、第２コンタクトガラス９上に載置される。
【００７１】
たとえば、操作パネル１０の操作ボタン１２の押操作により、原稿の画像の読取りの開始が指示される。読取りの開始が指示されると、画像読取部１３が第２コンタクトガラス９の左端部と対向する位置から第２コンタクトガラス９の右端部と対向する位置まで一定速度で移動される。このとき、画像読取部１３から第２コンタクトガラス９を通して原稿に光が照射される。そして、原稿での反射光が画像読取部１３のイメージセンサに受けられることにより、原稿に形成されている画像の読取りが達成される。
＜作用効果＞
【００７２】
画像読取部１３は、平面状の第１コンタクトガラス８に対して第１コンタクトガラス８の表面と直交する第１方向の一例である上下方向の一方側、つまり下方に設けられている。画像読取部１３は、第１コンタクトガラス８の下方において、上下方向と直交する第２方向の一例である前後方向に延びている。第１コンタクトガラス８に対して上下方向の他方側、つまり第１コンタクトガラス８の上方には、押さえ部材３１が設けられている。押さえ部材３１には、弾性部材４９により、上下方向および前後方向の両方に交差する第３方向の一例である左右方向の弾性力が付与される。押さえ部材３１に対して前後方向の両側には、それぞれ左側面４５を有する前対向部４２および後対向部４３が設けられている。
【００７３】
左側面４５には、押さえ部材３１から前後方向の両側に延出する延出部４１が当接している。弾性部材４９から押さえ部材３１に付与される弾性力により、延出部４１は、左右方向から左側面４５を押圧する。左側面４５は、上下方向および左右方向の両方に交差する方向に傾斜している。そのため、延出部４１から左側面４５に加えられる押圧力の反力として、延出部４１に上下方向の力が作用する。よって、原稿が第１コンタクトガラス８と押さえ部材３１との間に介在されたときに、押さえ部材３１により、その原稿を第１コンタクトガラス８に向けて押圧することができる。その結果、第１コンタクトガラス８上において、原稿と画像読取部１３との間の距離を一定にすることができる。ひいては、画像読取部１３による原稿の画像の良好な読取りを達成することができる。
【００７４】
そして、押さえ部材３１に左右方向の弾性力を付与する弾性部材４９は、押さえ部材３１に対して左右方向の一方側に配置することができる。これにより、第１コンタクトガラス８の表面と直交する方向である上下方向において、画像読取装置３の薄型化を図ることができる。
【００７５】
弾性部材４９は、押さえ部材３１の前後方向の中央部に弾性力を付与する。これにより、２つの延出部４１がそれぞれ前対向部４２および後対向部４３の傾斜溝４４の左側面４５に同じ大きさの力で当接される。そのため、２つの延出部４１が左側面４５から均等な大きさの反力を受ける。その結果、押さえ部材３１により、原稿を前後方向においてバランスよく第１コンタクトガラス８に向けて押圧することができる。また、弾性力の方向が左右方向であるので、その弾性力が押さえ部材３１における前後方向の中央部に付与されても、押さえ部材３１に上下方向の変形が生じにくい。そのため、押さえ部材３１と第１コンタクトガラス８との間の間隔が前後方向においてばらつくことを抑制できる。その結果、画像読取部１３による原稿の画像のより良好な読取りを達成することができる。
【００７６】
押さえ部材３１における前後方向の両端部には、第１コンタクトガラス８と押さえ部材３１との間の間隔を調整する突部４０が設けられている。この構成によれば、第１コンタクトガラス８と押さえ部材３１との間の間隔を一定に調整することができる。その結果、画像読取部１３による原稿の画像のより良好な読取りを達成することができる。
【００７７】
突部４０は、延出部４１と左右方向に同じ位置に配置されている。これにより、延出部４１に上下方向の力が作用したときに、押さえ部材３１が突部４０を支点として左右方向に対して傾斜することを抑制できる。その結果、押さえ部材３１により、その原稿を第１コンタクトガラス８に向けて良好に押圧することができる。
【００７８】
画像読取装置３は、左右方向の一方側に向かう搬送方向に原稿を搬送し、原稿を第１コンタクトガラス８と押さえ部材３１との間に送り込む搬送部材の一例としての供給ローラ２４、分離ローラ２５、１対のＬＦローラ２６および反転ローラ２７を備えている。
【００７９】
押さえ部材３１は、搬送方向の下流側ほど第１コンタクトガラス８に近づくように傾斜した傾斜案内面３５と、傾斜案内面３５における第１コンタクトガラス８側の端縁に接続され、第１コンタクトガラス８と平行に延びる平行面３６と、平行面３６における搬送方向の下流側の端縁に接続され、上下方向の他方側に延び、平行面３６と直交する直交面３７とを有していることが好ましい。第１コンタクトガラス８上に向けて搬送される原稿の先端が傾斜案内面３５に沿って移動することにより、原稿の先端を平行面３６と第１コンタクトガラス８との間に良好に導き入れることができる。
【００８０】
そして、弾性部材４９が押さえ部材３１の直交面３７を左右方向に押圧することにより、押さえ部材３１に左右方向の弾性力が付与される。弾性部材４９が直交面３７側に配置されるので、弾性部材４９が原稿の搬送の妨げとなることを抑制できる。
【００８１】
押さえ部材３１は、白色樹脂からなる。そのため、押さえ部材３１の白色を画像読取部１３によって読み取り、その読み取った白色データに基づいて、シェーディング補正処理を実行することができる。シェーディング補正処理のために、押さえ部材３１の平行面３６に白色テープを貼着する必要がなく、部品点数および製造工程数を低減することができる。
＜変形例＞
【００８２】
以上、本発明の一実施形態について説明したが、本発明は、他の形態で実施することもできる。
【００８３】
たとえば、弾性部材４９は、右対向部４８と押さえ部材３１の直交面３７との間に、圧縮状態で介在されているとした。しかしながら、弾性部材４９は、右対向部４８と押さえ部材３１の直交面３７との間に、伸張状態で介在されていてもよい。この場合、弾性部材４９の弾性力により、延出部４１は、傾斜溝４４の右側面４６を左側から押圧する。そして、延出部４１から右側面４６に加えられる押圧力の反力として、延出部４１に下向きの力が作用する。この下向きの力により、押さえ部材３１が第１コンタクトガラス８に向けて押圧される。
【００８４】
また、ガイド部として、傾斜溝４４を有する前対向部４２および後対向部４３を例示した。しかしながら、右対向部４８と押さえ部材３１の直交面３７との間に、弾性部材４９が圧縮状態で介在される場合、ガイド部が左下がりに傾斜する右側面を有する部材であって、延出部４１がガイド部の右側面に右側から当接する構成が採用されてもよい。さらにまた、右対向部４８と押さえ部材３１の直交面３７との間に、弾性部材４９が伸張状態で介在される場合、ガイド部が左下がりに傾斜する左側面を有する部材であって、延出部４１がガイド部の左側面に左側から当接する構成が採用されてもよい。
【００８５】
また、弾性部材４９が押さえ部材３１の右側に設けられた構成を取り上げた。しかしながら、弾性部材４９が押さえ部材３１の左側に設けられてもよい。この場合、前対向部４２および後対向部４３に形成される傾斜溝４４は、右下がりに傾斜していればよい。
【００８６】
さらに、弾性部材４９が押さえ部材３１の左側に伸張状態で設けられる場合、ガイド部が左下がりに傾斜する右側面を有する部材であって、延出部４１がガイド部の右側面に右側から当接する構成が採用されてもよい。
【００８７】
さらにまた、弾性部材４９が押さえ部材３１の左側に圧縮状態で設けられる場合、ガイド部が左下がりに傾斜する左側面を有する部材であって、延出部４１がガイド部の左側面に左側から当接する構成が採用されてもよい。
【００８８】
また、前述の実施形態では、押さえ部材３１の前端面３３および後端面３４から延出部４１が延出し、押さえ部材３１の前方および後方にそれぞれ前対向部４２および後対向部４３が設けられている。これに代えて、図６に示される構成が採用されてもよい。
【００８９】
この構成では、押さえ部材３１の前端面３３および後端面３４に、左下がりに傾斜する傾斜溝６１が形成されている。傾斜溝６１は、傾斜面の一例としての左側面６２、右側面６３および底面６４を有している。左側面６２および右側面６３は、左右方向に間隔を空けて、それぞれ左下がりに傾斜している。底面６４は、左側面６２および右側面６３の各下端に接続されている。そして、押さえ部材３１の前側および後側には、ＡＤＦ７のフレームから前後方向に延びる円柱状の延出部６５が設けられている、前後の延出部６５の先端部は、傾斜溝６１に挿入されている。
【００９０】
図６に示される構成では、弾性部材４９の弾性力により、延出部６５は、傾斜溝６１の右側面６３によって右側から押圧される。右側面６３から延出部６５に加えられる押圧力の反力として、右側面６３に下向きの力が作用する。この下向きの力により、押さえ部材３１がコンタクトガラス８に向けて押圧される。
【００９１】
また、押さえ部材３１は、白色樹脂からなるとした。これに代えて、押さえ部材３１が金属からなり、押さえ部材３１の平行面３６に白色のテープが貼り付けられた構成が採用されてもよい。
【００９２】
また、画像読取装置３が複合機１に備えられた場合を例にとったが、画像読取装置３は、それ単体で１つの装置とされてもよい。
【００９３】
その他、前述の構成には、特許請求の範囲に記載された事項の範囲で種々の設計変更を施すことが可能である。
【符号の説明】
【００９４】
３    画像読取装置
８    第１コンタクトガラス
１３  画像読取部
２４  供給ローラ
２５  分離ローラ
２６  ＬＦローラ
２７  反転ローラ
３１  押さえ部材
３５  傾斜案内面
３６  平行面
３７  直交面
４９  弾性部材
４０  突部
４１  延出部
４２  前対向部
４３  後対向部
４５  左側面
４６  右側面
６２  左側面
６３  右側面
６５  延出部
【図１】
0005768735.tif 000002
【図２】
0005768735.tif 000003
【図３】
0005768735.tif 000004
【図４】
0005768735.tif 000005
【図５】
0005768735.tif 000006
【図６】
0005768735.tif 000007